(57)【要約】      （修正有）【課題】折鶴を折った際に、観光やイベント等の記念となる文字や図形等の表示を外部から容易に目で見ることができて記念品として利用でき、商品価値が高い折り紙用台紙を提供する。【解決手段】折り紙用台紙１０は、四角形状の紙本体１２と、紙本体表面の一部に、文字、記号、図形、写真のいずれか１つ又はそれらの組合せで観光やイベントの記念表示が形成された記念表示部１４を含み、記念表示は、紙本体を折って折鶴を作成した際の少なくとも一方の翼部の表面側となる位置に形成される。【選択図】図１
0003189580.tif 000002
【実用新案登録請求の範囲】
【請求項１】
四角形状の紙本体と、
紙本体表面の一部に形成され、文字、記号、図形、写真のいずれか１つ又はそれらの組合せで観光やイベントの記念表示を表す記念表示部であり、該紙本体を折って折鶴を作成した際の少なくとも一方の翼部の表面側となる位置に表示される記念表示部と、を含むことを特徴とする折り紙用台紙。
【請求項２】
請求項１記載の折り紙用台紙を折って作成された折鶴であり、
広げた翼部の表面側となる部分に記念表示部が表示されたことを特徴とする折鶴。
【請求項３】
請求項１記載の折り紙用台紙と、
該折り紙用台紙より大きく形成され、該折り紙用台紙を一部に描いた大型台紙と、
請求項１記載の折り紙用台紙を折って作成された折鶴であり、大型台紙の余白部において取り付けられる折鶴と、を有することを特徴とする折り紙用台紙・折鶴セット。
【請求項４】
大型台紙の余白部には、折鶴の折り方を説明した折り方表示部を形成したことを特徴とする請求項３記載の折り紙用台紙・折鶴セット。
【考案の詳細な説明】
【技術分野】
【０００１】
本考案は、観光やイベント等でのお土産品や記念品として利用できる折り紙用台紙及び折鶴並びに折り紙用台紙・折鶴セットに関する。
【背景技術】
【０００２】
折り紙は、例えば正方形の紙で形成されており、所定の位置で折ることにより折鶴等の動物や植物、物品等に似せた様々な形態を製作することができる。折り紙に関する先行技術としては、例えば、説明書等を参照せずに一人で折り進めていくことができるとともに、簡単かつ綺麗に完成させることができるように、予め折り線を印刷した折り紙が提案されている（例えば、特許文献１参照）。特許文献１の折り紙は、折り位置および折り目の種類を表わす折り線と、該折り線の近傍に位置し、上記折り畳み操作の順序を示す折り順とからなり、上記折り線および折り順は、時間の経過とともに消色するインキにより印刷されたものであった。
【先行技術文献】
【特許文献】
【０００３】
【特許文献１】実用新案登録第３０８５０３５号公報
【考案の概要】
【考案が解決しようとする課題】
【０００４】
折り紙遊びは日本伝統の遊びであり日本国内に広く知られているが、近年では、折り紙遊びに対する子供たちの興味は薄く、子供用玩具としての需要はそれほど高くはない。しかしながら、折り紙は日本伝統の商品であることから、外国人当へのお土産としては人気が高く、折り紙を渡すだけでも喜ばれる場合が多い。そこで、日本人及び外国人を含む広く観光客又はその他一般人向けのお土産、記念品としても利用できるような商品価値を高めた折り紙を開発した。
【０００５】
本考案は上記従来の課題に鑑みてなされたものであり、その一つの目的は、折鶴を折った際に、観光やイベント等の記念となる文字や図形等の表示を外部から容易に目で見ることができて記念品として利用でき、商品価値が高い折り紙用台紙及び折鶴ならびに折り紙用台紙・折鶴セットを提供することにある。
【課題を解決するための手段】
【０００６】
上記課題を解決するために本考案は、四角形状の紙本体１２と、紙本体１２表面の一部に形成され、文字、記号、図形、写真のいずれか１つ又はそれらの組合せで観光やイベントの記念表示を表す記念表示部であり、該紙本体１２を折って折鶴１６を作成した際の少なくとも一方の翼部１８の表面側となる位置に表示される記念表示部１４と、を含む折り紙用台紙１０から構成される。
【０００７】
また、本考案は、上記記載の折り紙用台紙１０を折って作成された折鶴であり、広げた翼部１８の表面側となる部分に記念表示部１４が表示された折鶴１６から構成される。
【０００８】
また、本考案は、上記記載の折り紙用台紙１０と、該折り紙用台紙１０より大きく形成され、該折り紙用台紙１０を一部に描いた大型台紙２２と、上記記載の折り紙用台紙１０を折って作成された折鶴であり、大型台紙２２の余白部２６において取り付けられる折鶴１６と、を有する折り紙用台紙・折鶴セットから構成される。折り紙用台紙１０は大型台紙２２の一部で形成される。よって、大型台紙２２の当該一部を切り離し等することで折り紙用台紙１０を折り紙として使用できる。
【０００９】
また、大型台紙２２の余白部２６には、折鶴の折り方を説明した折り方表示部２８を形成したこととしてもよい
【考案の効果】
【００１０】
本考案の折り紙用台紙によれば、四角形状の紙本体と、紙本体表面の一部に形成され、文字、記号、図形、写真のいずれか１つ又はそれらの組合せで観光やイベントの記念表示を表す記念表示部であり、該紙本体を折って折鶴を作成した際の少なくとも一方の翼部の表面側となる位置に表示される記念表示部と、を含むことから、折り紙を折って折鶴を折った際に、観光やイベントの記念する文字や図形等が翼部の表面にあらわれて外部から見えるので、記念品として利用できるとともに、表示を容易に変更するだけでバラエティに富み、商品価値が高い折り紙を提供することができる。
【００１１】
また、本考案の折鶴によれば、請求項１記載の折り紙用台紙を折って作成された折鶴であり、広げた翼部の表面側となる部分に記念表示部が表示されたことから、例えば、観光記念の文字や図形等が翼部の表面にあらわれて外部から見えるので記念品として利用でき、商品価値が高い折鶴を提供することができる。
【００１２】
また、本考案の折り紙用台紙・折鶴セットによれば、請求項１記載の折り紙用台紙と、該折り紙用台紙より大きく形成され、該折り紙用台紙を一部に描いた大型台紙と、請求項１記載の折り紙用台紙を折って作成された折鶴であり、大型台紙の余白部において取り付けられる折鶴と、を有するので、折鶴の完成品を見ながら折り紙用台紙を折ることができ、折った折鶴を記念品として利用できるとともに、さらに付加価値を高めて観光客等の需要者に提供することができる。また、折鶴自体を大型台紙から取り外してそのまま記念品として利用したり、折り紙用台紙・折鶴セットをそのまま飾って記念品として利用したりすることもできる。
【００１３】
また、大型台紙の余白部には、折鶴の折り方を説明した折り方表示部を形成した構成とすることにより、大型台紙上の折り方表示部を見ながら折鶴を折ることができる。特に、翼部に記念表示部があらわれるように折鶴を作成することができる。
【図面の簡単な説明】
【００１４】
【図１】本考案の一実施形態に係る折り紙用台紙の説明図である。
【図２】図１の折り紙用台紙で折った折鶴の斜視説明図である。
【図３】本考案の一実施形態に係る折り紙用台紙・折鶴セットの説明図である。
【考案を実施するための形態】
【００１５】
以下、添付図面を参照しつつ本考案の折り紙用台紙及び折鶴並びに折り紙用台紙・折鶴セットの実施の形態について説明する。本考案の折り紙用台紙は、紙を折って鶴等の所望の形態を作成できる折り紙である。図１ないし図３は、本考案の折り紙用台紙及び折鶴の一実施形態を示している。図１に示すように、本実施形態において、折り紙用台紙１０は、紙本体１２と、記念表示部１４と、を備えている。
【００１６】
紙本体１２は、例えば、任意の大きさの四角形状に形成された洋紙又は和紙からなり、従来周知の折り紙と同じものである。紙本体１２は、例えば、表面が赤、青、黄、緑等の任意の色で着色されるとともに、裏面が白色となっているか又は表面とは異なる色で着色された正方形状の薄い紙からなる。なお、紙本体１２は両面ともに同じ色で着色されていてもよく、また柄や模様等が施されていてもよい。
【００１７】
記念表示部１４は、例えば、文字、記号、図形、写真等のいずれか１つ又はそれらを組み合わせて紙本体１２表面の一部に表示させることにより、観光やイベント等を記念する表示を形成する表示手段である。記念表示部１４は、例えば、印刷により紙本体１２に表示される。図１に示すように、本実施形態では、記念表示部１４は、例えば、「熊本城」「Ｋｕｍａｍｏｔｏ  Ｃａｓｔｌｅ」の横書き文字を二段書きした態様で、正方形状の紙本体１２の１つの隅部において、対角線方向に沿った方向に向けて記載されている。このような位置に表示される記念表示部１４は、図２に示すように、紙本体１２を折って折鶴１６を形成した際に、広げた翼部１８の一方の表面側１８ａに該翼部１８の区画内に読みやすいような向きで表示されることとなる。すなわち、本実施形態では、記念表示部１４は、紙本体１２において、該紙本体１２を折って折鶴を作成した際の少なくとも一方の翼部１８の表面側１８ａとなる位置に対応するように、正方形状の１つの隅部位置に設定されている。なお、記念表示部１４は、上記した文字に限らず、城の写真を印刷したものでもよい。また、記念表示部１４は、例えば、種々の観光地名、名所、旧跡、コンサートや式典等のイベント名、ご当地キャラクター、名産品等、観光やイベント等を記念するような任意の表示でもよい。また、記念表示部１４は、折鶴１６の翼部１８に対して任意の向きに表示されてもよい。
【００１８】
このように折り紙台紙１０に記念表示部１４を施すことにより、折り紙としての商品価値を高め、観光やイベント等でのお土産や記念品として利用することができる。特に、折り紙用台紙１０を折って折鶴１６を作成した際には、記念表示部１４が外部から見えやすい翼部１８の表面側位置に表示されることとなるので、記念品として利用価値が高い。なお、記念表示部１４は、折鶴１６の一方の翼部１８のみだけでなく、両方の翼部１８やその他、折鶴を作成した際に外部から見えやすい位置に対応した紙面位置に表示するようにしてもよい。すなわち、記念表示部１４は、正方形状の紙本体１２の複数個所に表示するようにしてもよい。また、記念表示部１４は、紙本体１２の両面に表示して、どちらを表として折鶴を折っても記念表示部１４が翼部の表面側にあらわれるようにしてもよい。
【００１９】
図１に示した実施形態に係る折り紙用台紙１０は、例えば、単独で１枚又は複数枚組みで需要者に提供されてもよい。その際、折り方を記載した説明書等を同封してもよい。また、折り紙用台紙１０を折って予め作成した折鶴１６を需要者に提供することとしても良い。一方、図３には、折り紙用台紙１０と折鶴１６とを組み付けた折り紙用台紙・折鶴セット２０の実施例を示している。
【００２０】
図３に示すように、実施形態に係る折り紙用台紙・折鶴セット２０は、折り紙用台紙１０と、大型台紙２２と、折鶴１６と、を有する。折り紙用台紙１０は、上記したものと略同じ構成であるが大型台紙２２の一部で形成される。大型台紙２２は、折り紙用台紙１０よりも大きく形成されており、例えば、長方形状の洋紙又は和紙で形成されている。そして、大型台紙２２の一部に正方形状の輪郭線２４を記載することにより折り紙用台紙１０が描かれている。よって、折り紙用台紙１０と大型台紙２２とは共通の１枚の紙片で形成されており、大型台紙２２の一部に折り紙用台紙１０が一体的に構成されている。折り紙用台紙１０を使用する場合には、例えば、鋏やカッター等で大型台紙２２の輪郭線２４に沿って切り離して、正方形状の折り紙用台紙１０を使用できる。輪郭線２４は、線を記載する態様に限らず、例えば、大型台紙２２の折り紙用台紙１０に対応する四角形部分のみを着色等により色を変えることとしてもよい。なお、大型台紙２２に複数の折り紙用台紙１０を描くこととしてもよい。また、図３上では、折り紙用台紙１０は、大型台紙上で記念表示部１４の文字が正立する向きで描かれているが、その態様に限らず任意の向きで表示されていてもよい。
【００２１】
折鶴１６は、図２で示す上記したものと略同じ構成であり、大型台紙２２の一部に描かれて構成されている折り紙用台紙１０とは別の紙であり、該大型台紙２２中の折り紙用台紙１０と同等の大きさ及び記念表示部１４を有する折り紙用台紙を折って作成されている。よって、図３上では、図示していないが、折鶴１６には、翼部１８の表面側に記念表示部１４が形成されている。図３では、折鶴１６は、翼部１８を広げず折り畳んだままの状態で、大型台紙２２の余白部２６、すなわち、輪郭線２４で区画された折り紙用台紙１０以外の部分に取り付けられている。折鶴１６は、例えば、２枚の翼部１８のうち一方を大型台紙２２の表面に重ね合わせて、糊等の固定手段で取り付けられている。折鶴１６は、翼部１８を折り畳み展開自在となる状態で大型台紙１６に取り付けられており、必要に応じて翼部１８を広げて表面側の記念表示部１４等を見ることができる。なお、大型台紙２２中の折り紙用台紙と折鶴１６との記念表示部の表示内容を異なることとしてもよい。また、折鶴１６を折る前の折り紙用台紙の大きさを大型台紙２２中の折り紙用台紙と異なる大きさとしてもよい。折鶴１６は、例えば、複数個を大型台紙２２に取り付けても良い。
【００２２】
図３に示すように、大型台紙２２の余白部２６には折鶴の折り方を順番に図解して説明した折り方表示部２８が形成されている。これにより、大型台紙２２から折り紙用台紙１０を切り離して該折り紙用台紙１０を折る際には、折り方表示部２８を見ながら折ることができ、翼部に記念表示部１４があらわれるように折鶴を作成することができる。なお、図３上では、折り方表示部２８は一部を省略して記載している。
【００２３】
このように、折り紙用台紙１０と完成品となる折鶴１６とを大型台紙２２を介してセットとして組み付けることで、さらに、商品価値を高めることができるとともに、折り紙用台紙１０を折って折鶴を作成する際に、完成品の立体的なイメージを把握しやすく、平面的な解説図のみの場合よりも折りやすくなることが期待できる。また、折鶴１６自体を大型台紙２２から取り外して記念品としても有効に利用することができる。また、折り紙用台紙・折鶴セット２０をそのまま飾って記念品として利用することもできる。
【００２４】
以上説明した本考案の折り紙用台紙及び折鶴並びに折り紙用台紙・折鶴セットは、上記した実施形態のみの構成に限定されるものではなく、実用新案登録請求の範囲に記載した本考案の本質を逸脱しない範囲において、任意の改変を行ってもよい。
【産業上の利用可能性】
【００２５】
本考案の折り紙用台紙は、観光地や等でのお土産品や各種イベント等の記念品として好適である。
【符号の説明】
【００２６】
１０    折り紙用台紙
１２    紙本体
１４    記念表示部
１６    折鶴
１８    翼部
２０    折り紙用台紙・折鶴セット
２２    大型台紙
２６    余白部
２８    折り方表示部
【図１】
0003189580.tif 000003
【図２】
0003189580.tif 000004
【図３】
0003189580.tif 000005